(57)【要約】【課題】冷却風の風速を向上させ、効率的に冷却対象物の冷却を行えるプロジェクターを提供する。【解決手段】プロジェクター１は、冷却風を流動して冷却対象物に吐出するダクト５２を備え、ダクト５２は、内部に配置され、断面が略三角形状であり、略三角形状の１つの頂点Ｐがお互いに対向するように形成され、冷却風の流動方向に対して略垂直方向に延出する一対の流動制御部５３を備え、流動制御部５３は、断面において、頂点の対辺５３１が、ダクト５２の内面と離間するように形成されている。【選択図】図２
2012237792.tif 000002
【特許請求の範囲】
【請求項１】
光源から射出された光束を変調して投写するプロジェクターであって、
冷却風を流動して冷却対象物に吐出するダクトを備え、
前記ダクトは、内部に配置され、断面が略三角形状であり、当該略三角形状の１つの頂点がお互いに対向するように形成され、前記冷却風の流動方向に対して略垂直方向に延出する一対の流動制御部を備え、
前記流動制御部は、前記断面において、前記頂点の対辺が、前記ダクトの内面と離間するように形成されていることを特徴とするプロジェクター。
【請求項２】
請求項１に記載のプロジェクターであって、前記流動制御部は、前記ダクトの前記流動方向における略中心を通る仮想面を基準として面対称に形成されていることを特徴とするプロジェクター。
【請求項３】
請求項１または請求項２に記載のプロジェクターであって、
前記頂点の前記流動方向における位置は、前記対辺の前記流動方向における中央位置より風下側で前記対辺の下流端よりも風上側の位置としていることを特徴とするプロジェクター。
【請求項４】
請求項１〜請求項３のいずれか一項に記載のプロジェクターであって、
前記頂点は、角丸処理がされていることを特徴とするプロジェクター。
【発明の詳細な説明】
【技術分野】
【０００１】
本発明は、プロジェクターに関する。
【背景技術】
【０００２】
従来、プロジェクターは、光源から射出された光束を光変調装置で画像情報に応じて変調し、投写レンズでスクリーン上に拡大投写する装置である。このようなプロジェクターは、光源や光変調装置を含め、プロジェクターを構成する部材が発熱するため、プロジェクターの機能を維持させるために、発熱した部材を冷却することが必要となる。
【０００３】
なお、冷却は、外気から冷却風を取り入れる吸気ファンと、取り入れた冷却風を流動するダクトとを設け、液晶パネルや偏光板の表面等に冷却風を吹き付けることで、発熱した液晶パネルや偏光板を冷却している（例えば、特許文献１）。
【先行技術文献】
【特許文献】
【０００４】
【特許文献１】特開２００５−４０７１号公報（図１、図２、図１１）
【発明の概要】
【発明が解決しようとする課題】
【０００５】
しかし、上述した構成では、一般的に、ダクトから吐出された冷却風が、発熱した部材（冷却対象物）に達するまでに冷却風の風圧が損失し、風速が低下してしまうことが課題となる。また、冷却風が冷却対象物の表面に意図するように当たらずに、意図する温度低減が図れないことが課題となる。この場合、冷却ファンの回転数を上げることや、冷却性能を上げるために冷却ファンのサイズを大きくすることで、風速を上げることが可能である。しかし、この対応は、冷却ファンの騒音の増加や、プロジェクター本体の大型化といった課題が生じる。また、液晶パネルや偏光板に均一な風速の冷却風を当てた場合、光源からの光を受ける液晶パネルや偏光板の面内に温度差（面内温度差）が生じ、色むら等が発生し易くなり、光学部品の品質低下が課題となる。
従って、冷却風の風速を向上させ、効率的に冷却対象物の冷却を行えるプロジェクターが要望されていた。
【課題を解決するための手段】
【０００６】
本発明は、上述した課題の少なくとも一部を解決するためになされたものであり、以下の適用例として実現することが可能である。
【０００７】
（適用例１）本適用例に係るプロジェクターは、光源から射出された光束を変調して投写するプロジェクターであって、冷却風を流動して冷却対象物に吐出するダクトを備え、ダクトは、内部に配置され、断面が略三角形状であり、当該略三角形状の１つの頂点がお互いに対向するように形成され、冷却風の流動方向に対して略垂直方向に延出する一対の流動制御部を備え、流動制御部は、断面において、頂点の対辺が、ダクトの内面と離間するように形成されていることを特徴とする。
【０００８】
このようなプロジェクターによれば、断面が略三角形状である流動制御部の対向する頂点の対辺とダクトの内面とに挟まれる領域を流動する冷却風の風速に比較して、一対の流動制御部に挟まれる領域を流動する冷却風の風速が高くなる。また、この風速の違いにより、流動制御部の対辺とダクトの内面とに挟まれる領域を流動する冷却風の風圧が、一対の流動制御部に挟まれる領域を流動する冷却風の風圧より高くなる。これにより、冷却風がダクトから吐出された場合、一対の流動制御部に挟まれる領域を流動する冷却風の風速を向上させることができるとともに、冷却風の広がりを低減して、冷却対象物の意図する部分に吹き付けることができる。従って、冷却対象物の高温部分を効率的に冷却できることで、冷却対象物の温度を下げることができる。また、例えば、冷却対象物が光変調装置である場合には、冷却対象物の高温部分を効率的に冷却することで、面内温度差を低減させることができ、色むら等の品質低下を抑制することができる。
【０００９】
（適用例２）上記適用例に係るプロジェクターにおいて、流動制御部は、ダクトの流動方向の略中心を通る仮想面を基準として面対称に形成されていることが好ましい。
【００１０】
このようなプロジェクターによれば、流動制御部が仮想面を基準として面対称に設置されることにより、冷却風の流動状態が仮想面を基準として概ね面対称となり、冷却風の制御がし易くなる。
【００１１】
（適用例３）上記適用例に係るプロジェクターにおいて、頂点の流動方向における位置は、対辺の流動方向における中央位置より風下側で対辺の下流端よりも風上側の位置としていることが好ましい。
【００１２】
このようなプロジェクターによれば、頂点の流動方向における位置を、対辺の中央位置より風下側で対辺の下流端よりも風上側の位置として、流動制御部を形成した場合、より効果的に、風速および風圧を確保することができる。
【００１３】
（適用例４）上記適用例に係るプロジェクターにおいて、頂点は、角丸処理がされていることが好ましい。
【００１４】
このようなプロジェクターによれば、一対の流動制御部に挟まれる領域を流動する冷却風は、概層流として滑らかに流動し易くなり、冷却風の流動を更に制御し易くすることができる。
【図面の簡単な説明】
【００１５】
【図１】実施形態に係るプロジェクターの光学ユニットを示す模式図。
【図２】流動制御部を示す模式図。
【図３】流動制御部の形状を変化させた場合の概断面図。
【図４】図３の流動制御部の形状を変化させた場合の冷却風の風速を示す図。
【発明を実施するための形態】
【００１６】
以下、実施形態を図面に基づいて説明する。
（実施形態）
【００１７】
図１は、実施形態に係るプロジェクター１の光学ユニット２を示す模式図である。図１を参照して、本実施形態の光学ユニット２の概構成と動作に関して簡略に説明する。
【００１８】
本実施形態のプロジェクター１は、光源２１１から射出される光束を画像情報に応じて変調し、画像光を形成し、この画像光をスクリーン等に拡大投写する。図１に示すように、プロジェクター１は、略Ｌ字状に構成される光学ユニット２、制御部（図示省略）、制御部等に電力を供給する電源ユニット（図示省略）、及びプロジェクター１内部を冷却する冷却ユニット５（図２参照）等を備え、これら各装置が外装筺体（図示省略）内部に収容されている。
【００１９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２０】
図１に示すように、光学ユニット２は、制御部による制御に基づき、光源２１１から射出された光束を光学的に処理して画像情報に応じた画像光を形成して投写するユニットである。光学ユニット２は、光源装置２１、照明光学装置２２、色分離光学装置２３、リレー光学装置２４、電気光学装置２５、及びこれら光学装置２１〜２５を内部に収容すると共に、投写レンズ２６を所定位置で支持固定する光学部品用筺体２０を備えて構成されている。
【００２１】
光源装置２１は、光源２１１及びリフレクター２１２等を備える。光源装置２１は、光源２１１から射出された光束をリフレクター２１２によって射出方向を揃え、光軸ＯＡに対して平行化して照明光学装置２２に向けて射出する。本実施形態の光源装置２１は、超高圧水銀ランプを採用している。
【００２２】
照明光学装置２２は、第１レンズアレイ２２１、第２レンズアレイ２２２、偏光変換素子２２３、重畳レンズ２２４、及び３つのフィールドレンズ２２５を備える。第１レンズアレイ２２１及び第２レンズアレイ２２２は、光源装置２１から射出された光束を複数の部分光束に分解する。偏光変換素子２２３は、第２レンズアレイ２２２から射出されたランダム偏光光である部分光束に対し、光の利用効率を高めるために、後述する液晶パネル２５３で利用可能な略１種類の偏光光に揃える。重畳レンズ２２４は、フィールドレンズ２２５と共に、偏光変換素子２２３から射出された各部分光束をその中心軸（主光線）に対して平行な光束に変換し、液晶パネル２５３の画像形成領域に対して重畳させる。
【００２３】
色分離光学装置２３は、２枚のダイクロイックミラー２３１，２３２、及び反射ミラー２３３を備え、照明光学装置２２から射出された光束を赤色（Ｒ）光、緑色（Ｇ）光、青色（Ｂ）光の３色の色光に分離する機能を有する。
【００２４】
リレー光学装置２４は、入射側レンズ２４１、リレーレンズ２４３、及び反射ミラー２４２，２４４を備え、色分離光学装置２３で分離されたＢ光をＢ光用の液晶パネル２５３Ｂまで導く機能を有する。なお、光学ユニット２は、リレー光学装置２４がＢ光を導く構成としているが、これに限らず、例えば、Ｒ光を導く構成としてもよい。
【００２５】
電気光学装置２５は、入射側偏光板２５１、光変調装置としての３つの液晶パネル２５３（Ｒ光用の液晶パネルを２５３Ｒ、Ｇ光用の液晶パネルを２５３Ｇ、Ｂ光用の液晶パネルを２５３Ｂとする）、射出側偏光板２５４、及び色合成光学装置としてのクロスダイクロイックプリズム２５５を備える。電気光学装置２５は、色分離光学装置２３で分離された各色光を画像情報に応じてそれぞれの液晶パネル２５３で変調し、色光毎に変調した光束をクロスダイクロイックプリズム２５５で合成して画像光を形成し、投写レンズ２６に向けて射出する。なお、本実施形態の光変調装置を構成する３つの液晶パネル２５３は、透過型を採用している。クロスダイクロイックプリズム２５５は、三角柱状の４つのプリズムを貼り合わせることにより、略正方形断面の角柱状に形成されている。
【００２６】
また、電気光学装置２５において、３つの液晶パネル２５３と、３つの射出側偏光板２５４と、クロスダイクロイックプリズム２５５とは、ユニット化されて、光学部品用筺体２０に固定される。詳細には、クロスダイクロイックプリズム２５５の隣接する３方向の入射面に、保持部材（図示省略）を介して、対応する３つの射出側偏光板２５４と、３つの液晶パネル２５３とが保持固定されてユニット化される。なお、電気光学装置２５を構成する３つの入射側偏光板２５１は、ユニット化されず、光学部品用筺体２０側に固定される。
【００２７】
投写レンズ２６は、１つあるいは複数のレンズを１つのレンズ群とする複数のレンズ群を備えており、これらのレンズ群が光軸ＯＡに沿って配置されている。そして、投写レンズ２６は、入射する画像光をズーム調整する機能、及びフォーカス調整する機能を有し、電気光学装置２５で形成された画像光をスクリーン（図示省略）等に拡大投写する。
【００２８】
なお、プロジェクター１にはプロジェクター１内部の発熱する部品や装置を冷却するために、上述したように、冷却ユニット５（図２参照）が設置されている。冷却ユニット５は、電気光学装置２５および偏光変換素子２２３を主に冷却する電気光学装置冷却系と、光源装置２１を主に冷却する光源冷却系と、電源ユニットを主に冷却する電源冷却系とを備えている。また、冷却ユニット５は、プロジェクター１内部で温められた空気をプロジェクター１外部に排気する排気冷却系を備えている。
【００２９】
電気光学装置冷却系、光源冷却系、電源冷却系は、冷却風を吸気して吐出する冷却ファンと、冷却ファンから吐出された冷却風を、冷却する部品や装置（冷却対象物）に流動して吐出させるダクトを備えている。また、排気冷却系は、電気光学装置冷却系、光源冷却系、電源冷却系により、冷却対象物を冷却してプロジェクター１内部に排気された温まった空気をファンとダクトとを備えてプロジェクター１外部に排気する。冷却ユニット５を構成するこれらの冷却系が動作することにより、プロジェクター１内部の部品や装置の温度は、所定の許容温度範囲内に収まるように規制されている。
【００３０】
なお、本実施形態を説明する図面（図１及び以降で説明する図）は、説明の便宜上、ＸＹＺ直交座標系を用いて示す。詳細には、プロジェクター１の光学ユニット２を基準に、Ｂ光用の液晶パネル２５３ＢからＲ光用の液晶パネル２５３Ｒの方向をＸ軸方向（＋Ｘ方向）とする。また、Ｘ軸方向に直交してクロスダイクロイックプリズム２５５から投写レンズ２６の方向をＹ軸方向（＋Ｙ方向）とする。また、Ｘ軸方向およびＹ軸方向に直交し、図１の紙面裏側から紙面表側の方向をＺ軸方向（＋Ｚ方向）とする。なお、＋Ｙ方向を前方向（−Ｙ方向を背面方向）、＋Ｘ方向を右方向（−Ｘ方向を左方向）、＋Ｚ方向を上方向（−Ｚ方向を下方向）として、適宜使用する。
【００３１】
図２は、流動制御部５３を示す模式図であり、図２（ａ）は、流動制御部５３を上方から見た概平面図であり、図２（ｂ）は、流動制御部５３を背面側から見た概断面図であり、図２（ｃ）は、流動制御部５３を右面側から見た概断面図である。なお、図２は、本発明を、冷却ユニット５を構成する電気光学装置冷却系に適用した場合を示している。そして、図２は、電気光学装置２５のＧ光用液晶パネル２５３Ｇを冷却対象物として適用している。図２を参照して流動制御部５３の構成および動作を説明する。
【００３２】
冷却ユニット５（電気光学装置冷却系）は、冷却ファン５１とダクト５２とを備えて構成されている。冷却ファン５１は、本実施形態では、遠心ファンを採用している。遠心ファンは、ファン回転軸方向から吸気した冷却風を回転接線方向に吐出するファンである。
【００３３】
冷却ファン５１は、外装筺体の底面側に開口する開口部（図示省略）に、冷却ファン５１の吸気口５１１を対応させて設置されている。また、冷却ファン５１の吐出口５１２に対応させてダクト５２の流入口５２１が設置されている。ダクト５２は、光学ユニット２の下側を通り、電気光学装置２５の下部まで延びて設置されている。そして、ダクト５２は、上方向に設置される３つの液晶パネル２５３に対応させて分岐し、冷却する液晶パネル２５３の下方に、それぞれダクト５２の吐出口５２２が位置するように、形成されている。
【００３４】
なお、図２に示すダクト５２は、Ｇ光用液晶パネル２５３Ｇの下部に設置されたダクト５２を示している。従って、冷却風は下方から上方に向かって吐出され、吐出口５２２の上方に位置するＧ光用液晶パネル２５３Ｇに吹き付ける。図２において、冷却ファン５１は模式的に示している。
【００３５】
冷却ファン５１は、吸気口５１１から外気を吸気し、吐出口５１２から吐出する。吐出された外気（冷却風）は、ダクト５２の流入口５２１からダクト５２内部に流入する。流入口５２１からダクト５２内部に流入した冷却風は、ダクト５２内部を吐出口５２２に向かって流動する。なお、ダクト５２は、矩形状で筒状に形成されている。矩形筒状に形成されるダクト５２において、４方向の内面を、図２（ａ）に示すように、前面５２ａ、背面５２ｂ、右面５２ｃ、左面５２ｄとする。
【００３６】
流動制御部５３に関して説明する。
本実施形態では、ダクト５２の吐出口５２２の近傍で、ダクト５２内面に、流動制御部５３が設置されている。流動制御部５３は、図２（ｂ）に示すように、冷却風の流動方向（本実施形態ではＺ軸方向）における断面形状が概三角形状を有し、冷却風の流動方向に対して略垂直方向（本実施形態ではＹ軸方向）に延出する概三角柱状に形成されている。詳細には、図２（ａ），（ｃ）に示すように、流動制御部５３は、ダクト５２の前面５２ａと背面５２ｂとに渡って概三角形状の一つの頂点Ｐが対向するように一対形成されている。なお、一対形成される流動制御部５３の一方を第１流動制御部５３Ａとし、他方を第２流動制御部５３Ｂとする。
【００３７】
第１流動制御部５３Ａと第２流動制御部５３Ｂとは、図２（ｂ）に示すように、ダクト５２の流動方向の略中心通り、前面５２ａ方向と背面５２ｂ方向とに垂直に延びる仮想面Ｃを基準として面対称に形成されている。
【００３８】
また、断面形状としての三角形状の各辺をそれぞれ辺５３１，５３２，５３３とした場合、流動制御部５３は、図２に示すように、断面における頂点Ｐの対辺５３１を、ダクト５２の内面（右面５２ｃおよび左面５２ｄ）とそれぞれ離間させて形成されている。また、頂点Ｐの対辺５３１は、右面５２ｃおよび左面５２ｄと略平行となるように形成されている。５３１Ｓは対辺５３１に対応する第１面を示す。
【００３９】
従って、第１流動制御部５３Ａと第２流動制御部５３Ｂとにおいて、三角形状の他の２辺となる辺５３２，５３３は、互いに向き合った状態で形成されている。また、頂点Ｐは、本実施形態では、角丸処理（いわゆる角Ｒ）されている。
【００４０】
また、頂点Ｐの流動方向における位置は、対辺５３１の流動方向における中央位置より風下側（＋Ｚ方向）で、対辺５３１の下流端５３１１よりも風上側（−Ｚ方向）の位置として形成されている。本実施形態では、詳細に後述するが、辺５３２と辺５３３の流動方向（＋Ｚ方向）における長さの比が約２：１として形成されている。
【００４１】
流動制御部５３による冷却風の流動に関して説明する。
ダクト５２内を流動してきた冷却風は、流動制御部５３により、一対の流動制御部５３（第１流動制御部５３Ａと第２流動制御部５３Ｂ）に挟まれる領域αを流動する冷却風と、第１流動制御部５３Ａの第１面５３１Ｓとダクト５２の左面５２ｄとに挟まれる領域β（第２流動制御部５３Ｂの第１面５３１Ｓとダクト５２の右面５２ｃとに挟まれる領域β）を流動する冷却風と、に分離されて流動する。
【００４２】
冷却ファン５１から吐出されてダクト５２内を流動してきた一定の風速を持つ冷却風は、流動制御部５３により、領域β（頂点Ｐの対辺５３１側）と領域α（辺５３２，５３３側）とに分かれて流動する。なお、冷却風は、辺５３２，５３３側を通る冷却風が、辺５３１側を通る冷却風に比べて長い距離を進むことになる。従って、領域αを流動する冷却風の風速は、領域βを流動する冷却風の風速に比較して高く（速く）なる。
【００４３】
これにより、領域αを流動する冷却風の風圧と、領域βを流動する冷却風の風圧とに差（圧力差）が生じる。その結果、領域βを流動する冷却風の風圧は、領域αを流動する冷却風の風圧に比較して高くなる。なお、領域α，βを流動した冷却風をそれぞれ冷却風Ａ，Ｂとして、図２（ｂ）に矢印で模式的に示している。
【００４４】
流動制御部５３の上述した動作により、領域αを流動した冷却風Ａは、風圧の差により幅方向（領域β方向）へ広がる（拡散する）ことを抑制され、領域βを流動した冷却風Ｂよりも風速を上げて、Ｇ光用液晶パネル２５３Ｇに向けて吐出される。
【００４５】
Ｇ光用液晶パネル２５３Ｇにおいて、光源装置２１から射出された光束は、照明光学装置２２により、Ｇ光用液晶パネル２５３Ｇの表面に照明される。そのため、Ｇ光用液晶パネル２５３Ｇが発熱し、面内に温度差（面内温度差）が生じる。Ｇ光用液晶パネル２５３Ｇの表面の温度分布は、図２（ｂ）に模式的に示すように、表面の中央部となる領域Ｄが最も高温となり、次に中央部の周囲となる領域Ｅ、最後に外周近傍となる領域Ｆの順となる。
【００４６】
ダクト５２から吐出された冷却風Ａは、風速を低下させずに、また、幅方向への広がりを抑制されることで、Ｇ光用液晶パネル２５３Ｇの下部の中央部より、表面の最も高温部分となる中央部（領域Ｄ）を上部に向けて流動する。また、冷却風Ａよりも風速の遅い冷却風Ｂは、Ｇ光用液晶パネル２５３Ｇの下部より冷却風Ａの左右側より、領域Ｅ，Ｆを上部に向けて流動する。
【００４７】
言い換えると、風速の高い冷却風Ａにより、Ｇ光用液晶パネル２５３Ｇの最も高温部分となる領域Ｄを冷却し、風速の低い冷却風Ｂにより、領域Ｄの周囲の領域Ｅ，Ｆを冷却する。これにより、Ｇ光用液晶パネル２５３Ｇの最高温度部分の温度を効率的に下げると共に、面内温度差を低減している。
【００４８】
図３は、流動制御部５３の形状を変化させた場合の概断面図であり、図３（ａ）は、本実施形態の流動制御部５３の形状を示す概断面図であり、図３（ｂ）、図３（ｃ）は、流動制御部５３の形状を変化させた場合の概断面図である。図４は、図３の流動制御部５３の形状を変化させた場合の冷却風Ａの風速を示す図である。なお、図３、図４は、発明者が流動制御部５３の形状を変化させ、その状態での冷却風Ａの風速を測定した実験結果を示している。
【００４９】
図３（ａ）は、図２に示す図（本実施形態）と同様である。詳細には、流動制御部５３の流動方向（＋Ｚ方向）断面となる三角形状において、辺５３２と辺５３３の流動方向における長さの比が約２：１として形成されている。
【００５０】
図３（ｂ）は、辺５３２と辺５３３の流動方向における長さの比が約１：１として形成されている。図３（ｃ）は、辺５３２と辺５３３の流動方向における長さの比が図３（ａ）とは逆となり、約１：２として形成されている。
【００５１】
なお、図３（ａ）に示す流動制御部５３の状態（本実施形態）をＭ１、図３（ｂ）に示す流動制御部５３の状態をＭ２、図３（ｃ）に示す流動制御部５３の状態をＭ３とする。
【００５２】
なお、２つの辺５３１の距離は約１０ｍｍ、辺５３１の長さは約７ｍｍ、辺５３１から頂点Ｐまでの距離は約２．３ｍｍ、右面５２ｃから左面５２ｄまでの距離は約２６ｍｍとしている。また、冷却風の初期速度（流動制御部５３より風上での風速）は約７．８ｍ／ｓとしている。そして、冷却風Ａが吐出する吐出口５２２から、冷却対象物としてのＧ光用液晶パネル２５３Ｇの下部までの距離をＨとしている。図４は、詳細には、図３に示す流動制御部５３の３つの状態（状態Ｍ１，Ｍ２，Ｍ３）において、距離Ｈ（ｍｍ）を変化させ、その距離Ｈにおける冷却風Ａの風速（ｍ／ｓ）を観測した結果である。
【００５３】
実験の結果、図４に示すように、状態Ｍ１では、距離Ｈが、０ｍｍから１００ｍｍ位まで、風速８．０ｍ／ｓ以上を維持している。状態Ｍ２では、距離Ｈが、０ｍｍから５０ｍｍ位まで、風速８．０ｍ／ｓ以上を維持している。状態Ｍ３では、距離Ｈが、０ｍｍから５ｍｍ位まで、風速８．０ｍ／ｓ以上を維持している。
【００５４】
この結果により、状態Ｍ１は、状態Ｍ２と比較して、速い速度を維持して遠くまで吐出することができる。また、状態Ｍ２は、状態Ｍ３と比較して、速い速度を維持して遠くまで吐出することができる。吐出性能の高い順番として、状態Ｍ１、状態Ｍ２、状態Ｍ３の順となる。従って、本実施形態では、状態Ｍ１（辺５３２と辺５３３の流動方向に対する長さの比が約２：１）を採用している。
【００５５】
上述した実施形態によれば、以下の効果が得られる。
本実施形態のプロジェクター１において、ダクト５２の内面側に流動制御部５３が設置される。流動制御部５３は、冷却風の流動方向における断面形状が概三角形状であり、流動方向に対して略垂直方向に延出する概三角柱状であり、概三角形状の一つの頂点Ｐが対向するように一対形成されている。また、概三角形状の対向する頂点Ｐの対辺５３１を、ダクト５２の内面（右面５２ｃおよび左面５２ｄ）とそれぞれ離間させて形成されている。従って、第１流動制御部５３Ａと第２流動制御部５３Ｂとにおいて、三角形状の他の２辺となる辺５３２，５３３は、互いに向き合った状態で形成されている。
【００５６】
このような流動制御部５３により、一対の流動制御部５３に挟まれる領域αを流動する冷却風Ａの風速は、第１面５３１Ｓとダクト５２の左面５２ｄ、ダクト５２の右面５２ｃとに挟まれる領域βを流動する冷却風Ｂの風速に比較して高く（速く）することができる。また、この風速の違いにより、領域βを流動する冷却風Ｂの風圧が、領域αを流動する冷却風Ａの風圧より高くなる。これにより、冷却風がダクト５２から吐出された場合、領域αを流動する冷却風Ａの風速を向上させることができ、領域β方向への冷却風Ａの広がりを低減して、Ｇ光用液晶パネル２５３Ｇの高温部分となる領域Ｄに吹き付けることができ、効率的に高温部分（領域Ｄ）を冷却することができる。従って、Ｇ光用液晶パネル２５３Ｇの高温部分（領域Ｄ）を効率的に冷却することで、面内温度差を低減させることができ、色むら等の品質低下を抑制することができる。
また、頂点Ｐの対辺５３１は、右面５２ｃおよび左面５２ｄと略平行となるように形成されていることにより、領域αと領域βの風速の差を大きくし、高温部分（領域Ｄ）へ向かう風速を向上することができる。
【００５７】
本実施形態のプロジェクター１において、流動制御部５３は、ダクト５２の流動方向の略中心を通り、前面５２ａ方向と背面５２ｂ方向とに垂直に延びる仮想面Ｃを基準として対称に形成されている。これにより、冷却風の風速や風圧を含む流動状態が仮想面を基準として概ね面対称となり、冷却風の制御がし易くなる。
【００５８】
本実施形態のプロジェクター１において、頂点Ｐの流動方向における位置は、対辺５３１の流動方向における中央位置より風下側（＋Ｚ方向）で、対辺５３１の下流端５３１１よりも風上側（−Ｚ方向）の位置として形成されている。これにより、頂点Ｐの流動方向における位置が、それ以外の位置にある場合に比較して、より効果的に、風速および風圧を確保することができる。
【００５９】
本実施形態のプロジェクター１において、頂点Ｐ（稜線部分）は、角丸処理（いわゆる角Ｒ）されている。これにより、領域αを流動する冷却風は、概層流として滑らかに流動し易くなり、冷却風の流動を更に制御し易くすることができる。
【００６０】
なお、上述した実施形態に限定されず、その要旨を逸脱しない範囲において種々の変更や改良等を加えて実施することが可能である。変形例を以下に述べる。
【００６１】
前記実施形態のプロジェクター１において、ダクト５２に流動制御部５３を備える構造に関して、冷却対象物を電気光学装置２５のＧ光用液晶パネル２５３Ｇとして適用したが、冷却対象物をＲ光用液晶パネル２５３Ｒや、Ｂ光用液晶パネル２５３Ｂとして適用してもよい。また、冷却対象物を照明光学装置２２の偏光変換素子２２３として適用してもよい。また、電気光学装置２５として、液晶パネル２５３を含め、入射側偏光板２５１、射出側偏光板２５４を併せて冷却するように適用することでもよい。
【００６２】
前記実施形態のプロジェクター１では、ダクト５２に流動制御部５３を備える構造に関して、冷却ユニット５を構成する電気光学装置冷却系に適用した場合を示している。しかし、これに限られず、冷却ユニット５を構成する光源冷却系や電源冷却系に適用してもよい。また、これ以外の冷却系を設ける場合には、その冷却系に適用してもよい。
【００６３】
前記実施形態のプロジェクター１では、流動制御部５３の形状において、辺５３２と辺５３３の流動方向（＋Ｚ方向）に対する長さの比が約２：１として形成されている。しかし、これに限られず、頂点Ｐの流動方向における位置が、対辺５３１の中央位置より風下側（＋Ｚ方向）で、対辺５３１の下流端５３１１よりも風上側（−Ｚ方向）の位置として形成されていればよく、略同様の効果が得られる。
【００６４】
前記実施形態のプロジェクター１では、流動制御部５３の形状において、頂点Ｐの流動方向における位置は、対辺５３１の中央位置より風下側（＋Ｚ方向）で、対辺５３１の下流端５３１１よりも風上側（−Ｚ方向）の位置として形成されている。しかし、頂点Ｐの流動方向における位置は、図３、図４の状態Ｍ２，Ｍ３で示したように、辺５３１の中央位置を含め、第１面５３１Ｓの上流端との間に設定して形成してもよい。このように形成することにより、本実施形態に比較して効果は若干低下するが、従来に比較して冷却対象物の高温部分を効率的に冷却することができ、面内温度差を低減させることができる。
【００６５】
前記実施形態のプロジェクター１において、流動制御部５３の頂点Ｐは、角丸処理がされている。しかし、これに限られず、角丸処理がされていなくてもよい。
【００６６】
前記実施形態のプロジェクター１において、ダクト５２は、矩形状で筒状に形成されている。しかし、これに限られず、例えば円形状を含む筒状に形成されていてもよい。また、このようなダクトに流動制御部を形成する場合には、本実施形態での流動制御部５３の第１面５３１Ｓに対応する面と、円形状を含む筒状に形成されたダクトの内面とが離間するように形成することでよい。また、頂点Ｐの対辺５３１は、右面５２ｃおよび左面５２ｄと略平行となるように形成されていなくてもよい。
【００６７】
前記実施形態のプロジェクター１において、光学ユニット２は、Ｒ光、Ｇ光、Ｂ光に対応する３つの光変調装置を用いる、いわゆる３板方式を採用している。しかし、これに限られず、単板方式の光変調装置を採用してもよい。また、コントラストを向上させるための光変調装置を追加して採用してもよい。
【００６８】
前記実施形態のプロジェクター１において、光学ユニット２は、透過型の光変調装置（透過型の液晶パネル２５３）を採用している。しかし、これに限られず、反射型の光変調装置を採用してもよい。
【００６９】
前記実施形態のプロジェクター１において、光学ユニット２は、光変調装置として液晶パネル２５３を採用している。しかし、これに限られず、一般に、入射光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００７０】
前記実施形態のプロジェクター１において、光学ユニット２は、光源装置２１から射出された光束の照度を均一化する照明光学装置２２として、第１レンズアレイ２２１、第２レンズアレイ２２２からなるレンズインテグレーター光学系を採用している。しかし、これに限定されるものではなく、導光ロッドからなるロッドインテグレーター光学系も採用することができる。
【００７１】
前記実施形態のプロジェクター１の光学ユニット２において、光源装置２１の光源２１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００７２】
１…プロジェクター、２…光学ユニット、５…冷却ユニット、２５…電気光学装置、５１…冷却ファン、５２…ダクト、５３…流動制御部、５３Ａ…第１流動制御部、５３Ｂ…第２流動制御部、２１１…光源、２５３…液晶パネル、５３１，５３２，５３３…辺、５３１Ｓ…第１面、５３１１…下流端、Ａ，Ｂ…冷却風、α，β…領域。
【図１】
2012237792.tif 000003
【図２】
2012237792.tif 000004
【図３】
2012237792.tif 000005
【図４】
2012237792.tif 000006